(57)【要約】【課題】生体の取扱いを容易にする。【解決手段】生体Ｍにおける観察対象Ｍ１を顕微鏡で観察するために用いられる生体観察用治具１００であって、生体Ｍが載置される載置面１１０ａを有する第１部材１１０と、第１部材１１０との間で生体Ｍを挟持する第２部材１２０と、を備える。第１部材１１０ａは、顕微鏡の対物レンズ７を載置面１１０ａの反対面１１０ｂ側から観察対象Ｍ１に対向させるための開口１１１を有する。【選択図】図１
2017203896.tif 000002
【特許請求の範囲】
【請求項１】
生体における観察対象を顕微鏡で観察するために用いられる生体観察用治具であって、
前記生体が載置される載置面を有する第１部材と、
前記第１部材との間で前記生体を挟持する第２部材と、を備え、
前記第１部材は、前記顕微鏡の対物レンズを前記載置面の反対面側から前記観察対象に対向させるための開口を有する
生体観察用治具。
【請求項２】
前記第１部材は、前記観察対象に当接するカバースリップの設置部を有し、
前記設置部は、前記設置部に設置された前記カバースリップが前記開口の少なくとも一部の範囲を覆うように設けられている
請求項１記載の生体観察用治具。
【請求項３】
前記カバースリップには、吸引口を有する吸引機構が取り付けられており、
前記吸引機構は、吸引によって、前記観察対象を前記吸引口から引き込んで前記カバースリップに当接させるよう構成され、
前記設置部は、前記カバースリップを収容するとともに、前記吸引機構の少なくとも一部を収容する凹部を有する
請求項２記載の生体観察用治具。
【請求項４】
前記設置部は、前記載置面に形成されている
請求項２又は３に記載の生体観察用治具。
【請求項５】
前記設置部は、前記カバースリップが設置される位置を変更可能である
請求項２〜４のいずれか１項に記載の生体観察用治具。
【請求項６】
前記設置部は、前記載置面に平行な方向への前記カバースリップの移動を許容するように形成されている
請求項２〜５のいずれか１項に記載の生体観察用治具。
【請求項７】
前記位置決め部は、前記生体の一部を内部に受容する受容部を有する
請求項１〜６のいずれか１項に記載の生体観察用治具。
【請求項８】
前記受容部は、前記生体の背骨に沿った背中の膨らみを受容する溝を有する
請求項７に記載の生体観察用治具。
【請求項９】
前記第２部材に対する前記第１部材の相対位置を調整する位置調整機構を有する
請求項１〜８のいずれか１項に記載の生体観察用治具。
【請求項１０】
前記位置調整機構は、前記載置面に平行な方向に前記第１部材の前記相対位置を調整するよう構成されている
請求項９に記載の生体観察用治具。
【請求項１１】
前記第１部材と前記第２部材との間隔を一定にするためのスペーサを備える
請求項１〜１０のいずれか１項に記載の生体観察用治具。
【請求項１２】
前記第１部材及び前記第２部材の少なくともいずれか一方を加熱するヒータを備える
請求項１〜１１のいずれか１項に記載の生体観察用治具。
【請求項１３】
前記第２部材は、生体の形状に沿って変形する素材を有している
請求項１〜１２のいずれか１項に記載の生体観察用治具。
【請求項１４】
生体における観察対象を顕微鏡で観察するために用いられる生体観察用治具であって、
前記生体が載置される載置面を有する載置プレートを備え、
前記載置プレートは、
前記顕微鏡の対物レンズを前記載置面の反対面側から前記観察対象に対向させるための開口と、
前記観察対象に当接するカバースリップの設置部と、
を有し、
前記設置部は、前記設置部に設置された前記カバースリップが前記開口の少なくとも一部の範囲を覆うように設けられている
生体観察用治具。
【発明の詳細な説明】
【技術分野】
【０００１】
本発明は、生体観察用治具に関する。
【背景技術】
【０００２】
マウスなどの生体における観察対象を生体が生きたままの状態で観察する生体イメージングは、生体における細胞や分子の動的な情報の取得を可能にするため、生体における様々な現象の時空解析に極めて有用な手法である。
【０００３】
特許文献１は、生体イメージングのため、生体試料の観察部位を吸引して保持する生体試料固定器を開示している。
【先行技術文献】
【特許文献】
【０００４】
【特許文献１】特開２０１３−１１３９７６号公報
【発明の概要】
【発明が解決しようとする課題】
【０００５】
生体を顕微鏡で観察するには、生体を顕微鏡に載せる必要がある。生体を顕微鏡に載せる際における生体の取扱いが容易であることが望まれる。
【課題を解決するための手段】
【０００６】
本発明は、生体における観察対象を顕微鏡で観察するために用いられる生体観察用治具である。治具の使用は、顕微鏡観察における生体の取扱いを容易にする。観察に用いられる顕微鏡は、倒立顕微鏡であってもよいし、正立顕微鏡であってもよい。
【０００７】
生体は、生きた動物をいう。動物は、例えば、実験用動物である。実験用動物は、例えば、マウス、ラット、モルモットなどである。生体の一部のみ、例えば生体から取り出した臓器・細胞などは、生体とはみなさない。観察対象は、生体内の部位であっても生体表面の部位であってもよい。観察対象が生体内にある場合、生体は、観察対象が露出するように切開される。生体内の観察対象は、例えば、臓器である。臓器は、例えば、肺、心臓、腹腔内の臓器である。生体表面の観察対象は、例えば、生体の背中に移植された固形腫瘍組織、又は皮膚である。
【０００８】
実施形態において、治具は生体を保持する。顕微鏡のユーザにとっては、生体が保持された治具を持って生体を顕微鏡に設置するほうが、生体自体を持って生体を顕微鏡に設置するよりも、生体の取扱いが容易となる。
【０００９】
実施形態の治具は、生体が載置される載置面を有する第１部材と、第１部材との間で前記生体を挟持する第２部材と、を備える。治具によって生体を挟持することは、治具によって生体を包み込むように保持することを含む。生体の挟持により、生体が確実に保持される。第１部材は、生体の観察時において、第１部材の上に生体が載置された状態になっている必要はなく、例えば、生体の観察時においては生体の上側に位置してもよい。
【００１０】
実施形態の第１部材は、顕微鏡の対物レンズを載置面の反対面側から観察対象に対向させるための開口を有する。対物レンズは、開口の位置で観察対象に対向することができる。
【００１１】
実施形態において、第１部材は、観察対象に当接するカバースリップの設置部を有する。カバースリップは、顕微鏡観察のために用いられる薄い透明な板であり、カバーガラスともよばれる。適切な顕微鏡観察のため、カバースリップの厚さは、一般に、カバーガラスの規格（例えば、ＩＳＯ  ８２５５−１）に従う。カバースリップはプラスチック製でもよい。カバースリップは薄いため破損しやすいが、カバースリップを第１部材に設置させることで、カバースリップの破損を防止しつつ、生体の取扱いが容易になる。
【００１２】
また、第１部材が、カバースリップが設置される位置を変更可能であることで、観察対象の位置に応じてカバースリップの位置を変更でき、異なる位置の観察対象に対応することができる。
【００１３】
他の観点において、実施形態の治具は、前記観察対象が露出するように切開された前記生体が載置される載置面を有する載置プレートを備える。載置プレートは、生体の観察時において、載置プレートの上に生体が載置された状態になっている必要はなく、例えば、生体の観察時においては生体の上側に位置してもよい。
【００１４】
実施形態の載置プレートは、顕微鏡の対物レンズを載置面の反対面側から観察対象に対向させるための開口と、観察対象に当接するカバースリップの設置部と、を有する。カバースリップは薄いため破損しやすいが、カバースリップが設置された載置プレートに生体を載置させることで、カバースリップの破損を防止しつつ、生体の取扱いが容易になる。
【００１５】
実施形態の載置プレートの設置部は、設置部に設置されたカバースリップが開口の少なくとも一部の範囲を覆う位置に設けられている。この場合、対物レンズは、カバースリップが当接した観察対象に対向することができる。
【図面の簡単な説明】
【００１６】
【図１】生体観察用治具の側面図である。
【図２】生体観察用治具の分解側面図である。
【図３】生体観察用治具の分解正面図である。
【図４】一方の部材の平面図及び断面図である。
【図５】他方の部材の平面図及び断面図である。
【図６】吸引機構付カバースリップの斜視図である。
【図７】一方の部材の変形例を示す図である。
【図８】カバースリップの移動の説明図である。
【図９】マスク取付部の説明図である。
【図１０】スペーサの説明図である。
【図１１】連結部の変形例の説明図である。
【図１２】他方の部材を省略した生体観察用治具の側面図である。
【発明を実施するための形態】
【００１７】
［１．生体観察用治具］
図１〜図５に示す生体観察用治具１００は、生体Ｍを保持し、顕微鏡のステージ６に設置される。実施形態においては、一例として、生体Ｍはマウスであり、顕微鏡は倒立顕微鏡であるものとする。倒立顕微鏡のステージ６は、ステージ６の下側に配置された対物レンズ７が観察対象に近づくための貫通孔６ａを有する。
【００１８】
図１〜図３に示すように、治具１００は、生体Ｍを挟持するため、２つの部材１１０，１２０を備える。治具１００は、顕微鏡のステージ６とは、分離して持ち運び可能である。両部材１１０，１２０は、生体Ｍを上下から挟持する。治具１００によって挟持された生体Ｍは、持ち運びなどの取扱いが容易となる。
【００１９】
部材１１０,１２０は、それぞれ、透明の板部材である。部材１１０，１２０が透明であると、治具１００に挟持された生体Ｍを、部材１１０，１１０を通してみることができ、生体Ｍを容易に把握できる。部材１１０，１２０の材質は、例えば、プラスチック又はガラスである。部材１１０，１２０は、それぞれ矩形状であり、平面視において、同形同大である。部材１１０，１２０の材質・形状は特に限定されない。
【００２０】
実施形態の部材１１０，１２０は、生体Ｍを挟持しても、部材１１０，１２０が変形しない程度の剛性を有する。剛性のある部材１１０，１２０によって生体Ｍが保持されていることで、生体Ｍが柔軟であっても、持ち運びが容易となる。
【００２１】
２つの部材１１０，１２０のうち一方の部材１１０は、他方の部材１２０よりも、対物レンズ７に近い位置に配置される。倒立顕微鏡の場合、対物レンズ７は、観察対象の下側に位置するため、部材１１０が下側に位置し、部材１２０が上側に位置するように、治具１００がステージ６に設置される。
【００２２】
図１に示すように、部材１１０は、生体Ｍが載置される。部材１１０を「載置プレート」ともいう。図１における部材１１０の上面は、生体Ｍが載置される載置面１１０ａであり、その反対面（下面）１１０ｂは、対物レンズ７に対向する。
【００２３】
部材１１０は、対物レンズ７が、部材１１０，１２０に挟持された生体Ｍの観察対象Ｍ１に近づいて観察対象Ｍに対向するための開口１１１を有する。開口１１１は、部材１１０の厚さ方向に貫通した貫通孔である。実施形態の開口１１１は、矩形であるが、形状は特に限定されず、例えば、円形であってもよい。開口１１１は、対物レンズ７に対向する位置に配置されている。対物レンズ７は、載置面１１０ａの反対面１１０ｂ側から開口１１１を通って、載置面１１０ａ側にある観察対象Ｍ１へ近づくことができる。
【００２４】
図４にも示すように、部材１１０は、カバースリップ１０が設置される設置部１１３を備える。実施形態の設置部１１３は、カバースリップ１０を収容する凹部１１５を有する。カバースリップ１０は、例えば、厚さ０．１７ｍｍの透明の矩形状ガラスである。カバースリップ１０は、その一面１０ａが観察対象Ｍ１に当接する。観察対象Ｍ１からの光は、カバースリップ１０を介して、対物レンズに入射する。カバースリップ１０は、観察対象Ｍ１の保護及び適切な顕微鏡観察に有用である。
【００２５】
ここで、一般に、生体Ｍの切開は、切開箇所を上向きにして行われる。例えば、生体Ｍの胸部の切開は、図２に示すように、生体Ｍを仰向けにして行われる。切開後、露出した観察対象Ｍ１にカバースリップ１０が上方から押し当てられる。治具１００を用いない場合、例えば、実験者の一方の手でカバースリップ１０を生体Ｍに押し当てたまま、その生体Ｍを、別の手でうつ伏せにしなければならない。生体Ｍは柔軟であり、しかも、カバースリップ１０は薄いため、このような操作は慎重に行われる必要があり、慎重に行っても生体Ｍ又はカバースリップ１０にダメージを与えるおそれがある。これに対し、実施形態においては、カバースリップ１０を、生体Ｍを保持する部材１１０に設置できるため、生体Ｍ及びカバースリップ１０の取扱いが容易となる。
【００２６】
治具１００は、水平なステージ６に設置されたときに、設置部１１３に設置されたカバースリップ１０が水平になるように、カバースリップ１０を保持する。実施形態において、部材１１０の面１１０ｂは、ステージ１１０と面接触するよう平坦面として形成されている。設置部１１３を構成する凹部１１５は、載置面１１０ａから厚さ方向に凹んでいる。図４に示すように、凹部１１５は、平面視において、矩形状であり、カバースリップ１０とほぼ同形同大である。凹部１１５は、底面１１５ａと、側面１１５ｂ−１，１１５ｂ−２，１１５ｂ−３，１１５ｂ−４とを有する。底面１１５ａは、カバースリップ１０が当接する支持面である。底面１１５ａは、面１１１０ｂと平行である。部材１１０が水平なステージ６に設置されると、底面１１５ａは水平となる。底面１１５ａには、カバースリップ１０が観察対象Ｍ１に当接する面１０ａの反対面１０ｂが当接する。水平な底面１１５ａに当接したカバースリップ１０は水平となり、顕微鏡観察にとって適切である。側面１１５ｂ−１，１１５ｂ−２，１１５ｂ−３，１１５ｂ−４は、カバースリップ１０の側面に当接して、カバースリップ１０が載置面１１０ａと平行な方向へ移動するのを規制して、カバースリップ１０の位置決めをする。
【００２７】
なお、設置部１１３０は、凹部１１５に収容されたカバースリップ１０が凹部１１５から離脱するのを防止する部材を備えていても良い。
【００２８】
凹部１１５は、開口１１１と重複する範囲に設置されている。凹部１１５に収容されたカバースリップ１０は、開口１１１の少なくとも一部を覆う。したがって、対物レンズ７は、開口１１１を通って、観察対象Ｍ１に当接したカバースリップ１０に近接することができる。図４に示すように、凹部１１５は、開口１１１を跨いで形成されているため、開口１１１を挟んだ両側でカバースリップ１０を支持することができる。
【００２９】
凹部１１５は、カバースリップ１０を載置面１１０ａよりも部材厚さ方向内側に収容するため、カバースリップ１１５が載置面１１０ａから突出するのを防止できる。なお、設置部１１３は、カバースリップ１０の設置空間を形成する凹部１１５を有している必要はなく、例えば、カバースリップ１０を部材１１０に保持させる部材だけで構成されていてもよい。
【００３０】
実施形態のカバースリップ１０は、観察対象Ｍ１を吸引固定するための吸引機構が取り付けられている。吸引機構は、吸引口３２を有し、吸引作用によって、観察対象Ｍ１を吸引口３２から引き込んでカバースリップ１０に当接させる。吸引機構付カバースリップ２００については後述する。
【００３１】
部材１１０は、部材１１０を加熱するヒータ１１９を備えている。ヒータ１１９は、例えば、通電によって発熱する発熱体によって構成される。ヒータ１１９は、例えば、部材１１０に内蔵される。切開された観察対象Ｍ１側に位置する部材１１０は、切開箇所において生体Ｍの体温を奪いやすい。ヒータ１１９によって生体Ｍの体温程度に部材１１０を加熱することで、生体Ｍの体温低下を防止できる。ヒータ１１９は、部材１２０に設けられていても良い。
【００３２】
実施形態の部材１１０は、生体Ｍの切開箇所（例えば、胸部又は腹部）側から生体Ｍに当接するのに対し、実施形態の部材１２０は、生体Ｍの切開箇所とは反対側（例えば、背部）側から生体に当接する。
【００３３】
図５にも示すように、部材１２０は、生体Ｍの一部を内部に受容する受容部１２３を備えている。受容部１２３は、部材１２０における生体Ｍ側の面１２０ａに設けられている。受容部１２３は、生体Ｍの背部を収容する凹部１２５を有する。凹部１２５は、平面視において矩形状に形成されているが、その形状は特に限定されない。
【００３４】
凹部１２５の底面１２５ａは、生体Ｍの背中に当接する。凹部１２５内には、生体Ｍの背骨に沿った背中の膨らみＭ２を受容する溝１２７が形成されている。実施形態の溝１２７は、生体Ｍの身長方向に沿って長く形成された貫通孔であるが貫通孔でなくてもよい。溝１２７は、背骨に沿った背中の膨らみＭ２の進入を許容するため、生体Ｍを受容部１２３内に安定的に位置させることができる。
【００３５】
治具１００は、両部材１１０，１２０を連結する連結部１３０を備えている。実施形態の連結部１３０は、ボルト１３２ａ，１３２ｂ，１３２ｃ，１３２ｄ及びナット１３３ａ，１３３ｂ，１３３ｃ，１３３ｄを有する。実施形態においてボルト１３２ａ，１３２ｂ，１３２ｃ，１３２ｄは、部材１１０の四隅近傍に取り付けられている。ボルト１３２ａ，１３２ｂ，１３２ｃ，１３２ｄは、それらの一端側が部材１１０に埋設されている。部材１２０には、ボルト１３２ａ，１３２ｂ，１３２ｃ，１３２ｄが挿通される挿通孔１３１ａ，１３１ｂ，１３１ｃ，１３１ｄを有する。図５に示す挿通孔１３１ａ，１３１ｂ，１３１ｃ，１３１ｄは、長孔である。長孔１３１ａ，１３１ｂ，１３１ｃ，１３１ｄは、部材１１０と部材１２０との相対位置の調整を可能とする。相対位置の調整については後述する。
【００３６】
［２．使用方法］
図２及び図３に示すように、部材１２０は、受容部１２３が形成されている面１２０ａを上向きにして、例えば実験台上に設置される。部材１２０への生体Ｍの載置に先立って、生体Ｍには麻酔がかけられる。麻酔をかけられた生体Ｍが部材１２０上に載置される。生体Ｍは、切開される箇所を上向きにして部材１２０に設置される。切開箇所が胸部又は腹部であれば、生体Ｍは仰向けにして設置される。仰向けの生体Ｍの背中が溝１２７に入り込むことで、生体Ｍの姿勢が安定し、その後の切開作業が容易となる。生体Ｍは、観察対象の臓器Ｍ１を体外に露出させるために皮膚が切開される。臓器Ｍ１は、例えば、心臓、肝臓、又は腸である。このように、部材１２０は、切開作業台として機能することができる。
【００３７】
カバースリップ１０は、予め、部材１１０に設置される。カバースリップ１０は、設置部１１３である凹部１１５内に装着される。吸引機構付カバースリップ２００は、吸引口３２が、載置面１１０ａ側からみて表面に位置するように凹部１１５内に装着される。カバースリップ１０が設置された部材１１０は、載置面１１０ａを部材１２０側に向けて、生体Ｍの上に載せられる。このとき、カバースリップ１０を、観察対象Ｍ１の位置に合うようにする。吸引機構付カバースリップ２００は、吸引口３２が観察対象Ｍ１の位置に合うようにする。
【００３８】
ナット１３２ａ，１３２ｂ，１３２ｃ，１３２ｄが、部材１２０の反対面１２０ｂ側から、挿通孔１３１ａ，１３１ｂ，１３１ｃ，１３１ｄを通ったボルト１３２ａ，１３２ｂ，１３２ｃ，１３２ｄに締め付けられる。これにより、部材１１０，１２０の間に生体Ｍが位置するための間隔を保持した状態で、部材１１０，１２０が連結される。生体Ｍは部材１１０，１２０間に保持されているため、実験者は、治具１００を手で持って、生体Ｍを持ち運ぶのが容易になる。部材１１０，１２０が連結されると、実験者は、治具１００の上下をひっくり返して、図１に示すように、部材１１０を下にして、顕微鏡ステージ６に設置することができる。このとき、部材１１０は、生体Ｍとの間でカバースリップ１０を挟んでいるため、カバースリップ１０も治具１００に保持されている。よって、実験者は、カバースリップ１０を手で押さえる必要がない。
【００３９】
図１に示すように、治具１００は、部材１１０の開口１１１が、対物レンズ７に対向するように、ステージ６に設置される。また、図１に示すように、吸引機構によって観察対象Ｍ１がカバースリップ１０に押し付けられて固定され、対物レンズ７は、貫通孔６ａ及び開口１１１を通って、カバースリップ１０に接近する。これにより、観察対象Ｍ１をカバースリップ１０越しに観察することができる。
【００４０】
［３．吸引機構付きカバースリップ］
図６は、吸引機構付カバースリップ２００を示している。吸引機構付カバースリップ２００は、カバースリップ１０に、吸引機構を取り付けたものである。吸引機構付きカバースリップは、非特許文献１に開示されている。吸引機構は、吸引口３２が形成された吸引部材２０を有する。吸引部材２０には、接続部３１を介して吸引チューブ３３が接続されている。吸引チューブ３３には、ポンプなどの負圧発生器が接続されている。
【００４１】
吸引部材２０は、例えば、シリコンゴム製である。吸引部材２０は、カバースリップ１０側の面に凹溝部２２が形成されている。凹溝部は、カバースリップ１０との間に流路３０を形成する。流路３０は、吸引口３２と接続部３１との間に形成されている。図６において、接続部３１からは２本の流路３０が吸引口３２に向かって延び、２本の流路３０は、吸引口３２近傍で分岐して、吸引口３２の側面に対して４方向から繋がっている。
【００４２】
吸引部材２０に形成された吸引口３２は、吸引部材２０の厚さ方向に貫通する貫通孔である。吸引部材２０は、吸引口３２内に観察対象Ｍ１が位置するように、吸引部材２０表面が生体Ｍに押し当てられる。負圧発生器によって、流路３０内の空気が吸引されると、観察対象Ｍ１に押し当てられている吸引口３２内は、負圧となり、図１に示すように、観察対象Ｍ１を吸引口３２内に引き込む。吸引口３２内に引き込まれた観察対象Ｍ１は、カバースリップ１０に押し当てられて固定される。これにより、動きのある臓器が観察対象Ｍ１であっても、その動きによる観察対象Ｍ１のイメージのぶれを抑えることができる。なお、臓器の動きとしては、呼吸・心収縮、拍動性の血流、消化管運動などがある。
【００４３】
実施形態の部材１１０の凹部１１５は、吸引機構付カバースリップ２００のほぼ全体を収容することができる。図１において、凹部１１５は、カバースリップ２００及び吸引部材２０を収容する。凹部１１５に収容された吸引部材２０の表面２０ａは、部材１１０の載置面１１０ａに対してほぼ面一となり、吸引部材２０があっても、生体Ｍへのダメージが少ない。
【００４４】
［４．治具の変形例］
図７は、部材１１０の変形例を示している。図７（Ａ）では、設置部１１３を構成する凹部１１５が、吸引機構付カバースリップ２００（カバースリップ１０）の移動を許容するように大きく形成されている。図８（Ａ）に示すように、凹部１１５の側面１１５ｂ−１，１１５ｂ−２の幅Ｃ２を、カバースリップ２００の短辺の幅Ｃ１よりも大きくすることで、カバースリップ２００を、カバースリップ２００の短辺と平行なＢ１方向へ移動させることができる。Ｂ１方向は、例えば、生体Ｍの幅方向である。生体Ｍの幅方向とは、身長方向に直交する方向である。カバースリップ２００は、その短辺が、凹部１１５の側面１１５ｂ−１，１１５ｂ−２に当接して、側面１１５ｂ−１，１１５ｂ−２をガイドとして移動できる。カバースリップ２００の移動により、観察対象Ｍ１の位置をＢ１方向に変えることができる。なお、カバースリップ２００が移動しても、対物レンズ７がカバースリップ２００にアクセスできるように、開口１１１も大きくなっている。
【００４５】
前述のように、部材１２０の挿通孔１３１ａ，１３１ｂ，１３１ｃ，１３１ｄは、長孔であり、図７（Ａ）に示すように、部材１１０を部材１２０に対して、Ａ１方向に相対移動させることができる。Ａ１方向は、例えば、生体Ｍの身長方向である。図７（Ａ）の部材１１０では、部材１１０のＡ１方向の移動と、カバースリップ２００のＢ１方向の移動によって、カバースリップ２００を、部材１２０に対して、載置面１１０ａに平行な２次元平面の面内方向に移動させることができる。
【００４６】
また、図７（Ａ）の部材１１と部材１２０との連結のさせ方を変えることでもカバースリップ２００の位置を変更できる。すなわち、ボルト１３２ａを挿通孔１３１ｄに挿通させ、ボルト１３２ｃを挿通孔１３１ｂに挿通させ、ボルト１３２ｂを１３１ｃに挿通させ、ボルト１３２ｄを１３１ａに挿通させれば、部材１１０を図７において上下反転でき、カバースリップ２００の生体Ｍの身長方向における位置を変更できる。
【００４７】
図７（Ｂ）は、図７（Ａ）に比べて、挿通孔１３１ａ，１３１ｂ，１３１ｃ，１３１ｄを９０°横向きにし、開口１１１及び凹部１１５も９０°横向きにしたものである。図７（Ｂ）の場合、部材１１０を部材１２０に対して、Ａ２方向に相対移動させることができ、カバースリップ２００を部材１１０に対してＢ２方向に移動させることができる。図７（Ｂ）においても、カバースリップ２００を、部材１２０に対して、載置面１１０ａに平行な２次元平面の面内方向に移動させることができる。
【００４８】
図７（Ｃ）は、図７（Ａ）（Ｂ）を組み合わせたものであり、カバースリップ２００の移動の自由度がより高まっている。
【００４９】
図７及び図８（Ａ）では、カバースリップ２００は、部材１１０に対して、カバースリップ２００の短辺方向Ｂ１に移動自在であったが、図８（Ｂ）に示すように、カバースリップ２００は、長辺方向Ｅ１に移動自在であってもよい。この場合、凹部１１５の長さＤ２を、カバースリップ２００の長辺の長さＤ１よりも大きくすればよい。
【００５０】
図９は、麻酔マスク１４０の取付部１２９を備えた部材１２０を示している。生体Ｍへの麻酔の適用は、麻酔マスク１４０を生体Ｍの頭部に装着することによって行われる。麻酔マスク１４０の取付部１２０があることで、麻酔マスク１４０を装着したままの生体Ｍを治具１００に保持させたときに、麻酔マスク１４０を安定して保持できる。マスク１４０の部材１２０への取り付けは、例えば、図９（Ａ）に示すように面ファスナーによって行える。マスク本体１４１に設けられた面ファスナーの一方のファスナー部材１４３に貼り付けられる面ファスナーの他方の部材１２９が取付部として機能する。取付部１２９には、麻酔マスク１４０が着脱自在に取り付けられる。
【００５１】
図９（Ｂ）は、マスク１４０の取付部１２９の他の例を示している。図９（Ｂ）では、フック構造によってマスク１４０が部材１２０に着脱自在に取り付けられる。取付部１２９は、係合爪１２９ｃ，１２９ｄを有する一対のフック１２９ａ，１２９ｂを有し、フック１２９ａ，１２９ｂ間にマスク１４０が挿入され、マスク１４０に形成された被係合部１４５ａ，１４５ｂが係合爪１２９ｃ，１２９ｄに係合し、抜け止めされる。係合の解除により、マスク１４０を取付部１２９から取り外すこともできる。
【００５２】
図１０は、部材１１０，１２０間に配置されるスペーサ１３５を示している。スペーサ１３５は、部材１１０，１２０間の間隔を一定に保つことができる。複数のスペーサ１３５が、部材１１０，１２０間の間隔を同じに保つことで、部材１１０，１２０を平行に維持できる。部材１１０，１２０が平行であると、正立顕微鏡での観察時に、部材１２０を水平なステージ６上に設置したときに、部材１１０を水平にでき、ひいてはカバーガラス１０も平行にでき、適切な顕微鏡観察に有利である。スペーサ１３５は、例えば、ボルト１３２ａ，１３２ｂ，１３２ｃ，１３２ｄに挿通される円筒部材として構成される。
【００５３】
図１１は、変形例に係る連結部１４０を示している。図１１（Ａ）において、部材１１０，１２０は、ヒンジ１４１を有する連結部１４０によって連結されている。図１１（Ａ）の連結部１４０は、複数のヒンジ１４１とヒンジの連結片１４２とを有する。連結部１４０によって、部材１１０は、部材１２０に対して折りたたみ自在となる。したがって、部材１２０の上に生体Ｍを載置させた状態で、部材１１０の生体Ｍの上に折りたたむことができる。部材１１０，１２０は、面ファスナー構造１４３，１４４によって折りたたまれた状態が維持される。なお、部材１１０と部材１２０とは、一体的に形成されていてもよい。また、連結部１４０は、ヒンジ１４１を有するものに代えて、面ファスナーで構成されていてもよい。
【００５４】
図１１（Ｂ）は、ピン１６０とフック１４０とを有する連結部１４０を示している。フック１４５をピン１４６に係合させることで、部材１１０，１２０を連結させることができる。また、図１１（Ｂ）では、部材１２０が弾性変形可能な素材によって形成されている。したがって、生体Ｍを挟持したときに、生体Ｍの体形に沿って変形し、生体Ｍを安定的に保持できる。なお、部材１１０も変形可能であってもよいが、カバースリップ１０の安定保持のため部材１１０は、変形しない程度の剛性を有するのが好ましい。
【００５５】
図１２は、部材１２０が省略された治具１００を示している。図１２のように、部材１１０だけでも、カバースリップ１０の安定的な保持が可能であり、生体Ｍを部材１１０上に載置させることができ、取扱いが容易となる。
【００５６】
［５．付記］
本発明は、上記実施形態に限定されるものではなく、様々な変形が可能である。
【符号の説明】
【００５７】
１００  生体観察用治具
１１０  第１部材
１１１  開口
１１３  設置部
１１５  凹部
１１９  ヒータ
１２０  第２部材
１２３  受容部
１２５  凹部
１２７  溝
１２９  マスク取付部
【図１】
2017203896.tif 000003
【図２】
2017203896.tif 000004
【図３】
2017203896.tif 000005
【図４】
2017203896.tif 000006
【図５】
2017203896.tif 000007
【図６】
2017203896.tif 000008
【図７】
2017203896.tif 000009
【図８】
2017203896.tif 000010
【図９】
2017203896.tif 000011
【図１０】
2017203896.tif 000012
【図１１】
2017203896.tif 000013
【図１２】
2017203896.tif 000014